(57)【特許請求の範囲】
【請求項１】
公衆基地局との間で複数の無線スロットを用いてデータ通信を行うことができる移動端末に於いて、
通信が継続している間は常に要求する最大数の無線スロットを使用することが保証されたスロット固定型の通信手順と、
通信が継続している間に前記公衆基地局のトラフィックや使用している無線スロットの通信品質に基づき使用する無線スロットの数を切り替えることが可能なスロット可変型の通信手順と、
を選択的に切り換える切換手段を具備することを特徴とする通信手順切替機能付き移動端末。
【請求項２】
請求項１に於いて、
前記切換手段は、予めユーザが設定した情報に基づいて切り換えを行うことを特徴とする通信手順切替機能付き移動端末。
【発明の詳細な説明】
【０００１】
【発明の属する技術分野】
本発明は基地局と移動端末からなる無線通信システムに於いて、複数の無線スロットを用いて高速なデータ通信を行うことが可能な移動端末に関する。
【０００２】
【従来の技術】
従来の移動端末を図１乃至図４を用いて説明する。
【０００３】
図１乃至図４は、ＰＨＳを用いて２スロット以上の無線スロットを用いた高速なデータ通信を行う際のシーケンス図を示す。そのうち、図１及び図３は、移動端末が常に要求する最大数の無線スロットを使用するスロット固定型である場合の呼制御手順に関するシーケンス図である。図２及び図４は、移動端末が使用する無線スロットの数を臨機応変に切り替えることが可能なスロット可変型である場合の呼制御手順に関するシーケンス図である。
【０００４】
図１に基づき、スロット固定型の移動端末から公衆基地局に対して複数の無線スロットを用いたデータ通信を要求する際に、二つ目以降の無線チャネルの確立を公衆基地局から拒否された場合の呼制御手順を説明する。
【０００５】
移動端末は、ユーザから複数の無線スロットを用いたデータ通信を行うよう指示された際に、ＬＣＨ確立要求メッセージ（１０１）を公衆基地局に送信することにより、リンクの設定を要求する。
【０００６】
ＬＣＨ確立要求メッセージ（１０１）を受信した公衆基地局は、一つ目の無線スロットを獲得し、ＬＣＨ割当メッセージ（１０２）にその無線スロット番号を設定することにより、移動端末に対して無線スロットの割り当てを行う。
【０００７】
その後、移動端末からの上り同期バーストの送信（１０３）、公衆基地局からの下り同期バーストの送信（１０４）により、移動端末と公衆基地局の間の無線チャネルの同期確立を行う。
【０００８】
同期確立後、移動端末からのＳＡＢＭ（１０５）送信、基地局からのＵＡ（１０６）送信により、レイヤ２のリンクを確立する。移動端末は、ユーザから複数の無線スロットを用いたデータ通信を指示された際には、この時確立した無線チャネルを用いて二つ目以降の無線チャネルを確立するためにＴＣＨ追加要求メッセージ（１０７）を公衆基地局に送信する。
【０００９】
ＴＣＨ追加要求メッセージ（１０７）を受信した公衆基地局は、二つ目の無線スロットの獲得動作を開始するが、他の移動端末によって全て使用されている為に獲得失敗した場合（１０８）には、ＴＣＨ追加拒否メッセージ（１０９）を送信する。
【００１０】
スロット固定型の移動端末は、この際１スロットのみで通信を続けるのではなく、ＤＩＳＣ（１１０）を送信することにより、自主的にレイヤ２リンクの解放を開始し、切断復旧処理に移行する。
【００１１】
移動端末からのＤＩＳＣ（１１０）を受信した公衆基地局は、ＵＡ（１１１）を送信してレイヤ２リンクの解放を完了した後、無線チャネル切断メッセージ（１１２）を送信して、無線チャネルの解放を開始する。
【００１２】
その後、移動端末からの無線チャネル切断完了メッセージ（１１３）により、公衆基地局は獲得していた無線スロットを解放し、当該呼に関する切断復旧を完了させる。
【００１３】
次に、図２に基づき、スロット可変型の移動端末から公衆基地局に対して複数の無線スロットを用いたデータ通信を要求する際に、二つ目以降の無線チャネルの確立を公衆基地局から拒否された場合の呼制御手順を説明する。
【００１４】
移動端末が、公衆基地局に対してＬＣＨ確立要求メッセージ（２０１）を送信して以降、公衆基地局から二つ目の無線スロットの獲得失敗を示すＴＣＨ追加拒否メッセージ（２０９）を受信する迄のシーケンスは、スロット固定型の移動端末と通信を行った場合と同様である。
【００１５】
移動端末において、移動端末のユーザがスロット可変型を選択している際に、ＴＣＨ追加拒否メッセージ（２０９）を受信した場合は、１スロットのみで通信を続けるために、呼接続手順（２１０乃至２１２）を継続し、通信中（２１３）の状態に移行し、最初に要求した通信速度より遅い速度（１スロットを用いて）で通信を行う。
【００１６】
次に、図３を用いて、スロット固定型の移動端末と公衆基地局間で、複数のスロットを用いたデータ通信を行っている際に、公衆基地局から二つ目以降のスロットを解放するよう指示された場合の呼制御手順を説明する。
【００１７】
公衆基地局が二つ目以降のスロットを解放するよう移動端末に指示する場合とは、特開平１０−２６２２７７号公報に開示されている無線通信システムに対応した公衆基地局が、移動端末と複数の無線スロットを用いたデータ通信を行っている際に、前記公衆基地局と通信を行うことを望む別の移動端末から無線スロットを用いた通信を要求され、割り当てるべき無線スロットの空きがない為に、複数の無線スロットを使用している呼に対して公衆基地局が強制的に無線スロットの一部を解放するよう指示する場合を示す。その場合、公衆基地局は、移動端末に対して、無線チャネル切断メッセージを送信する。
【００１８】
移動端末が、公衆基地局に対してＬＣＨ確立要求メッセージ（３０１）を送信して以降、移動端末から二つ目の無線スロットの獲得を要求するＴＣＨ追加要求メッセージ（３０４）を受信する迄のシーケンスは、図１及び図２で示した二つ目以降の無線スロットの確立が拒否された場合の動作と同様である。
【００１９】
移動端末からのＴＣＨ追加要求メッセージ（３０４）を受信した公衆基地局は、二つ目の無線スロットを獲得し、ＴＣＨ追加割当メッセージ（３０５）にその無線スロット情報を設定することにより、移動端末に対して獲得した無線スロットの情報を通知する。
【００２０】
二つ目の無線スロットの通知後、移動端末と公衆基地局の間の無線チャネルの同期確立を行い（３０６）、呼接続手順（３０７乃至３１０）の後に、通信中（３１１及び３１２）の状態に移行し、移動端末が要求した速度で通信を行う。
【００２１】
通信中（３１１及び３１２）の状態で、移動端末が公衆基地局から二つ目以降の無線スロットを解放するよう指示する無線チャネル切断メッセージ（３１３）を受信した場合、移動端末は二つ目の無線チャネルに対して無線チャネル切断完了メッセージ（３１４）を送信した後、移動端末のユーザがスロット固定型を選択している為、１スロットのみで通信を続けるのではなく、一つ目の無線チャネルに対しても切断メッセージ（３１５）を送信することにより、自主的に呼の切断復旧を開始し、切断復旧処理に移行する。その後、呼の切断復旧手順（３１６乃至３２１）を経て移動端末、公衆基地局共に空きの状態に遷移する。
【００２２】
次に、図４に基づいて、スロット可変型の移動端末と公衆基地局間で、複数のスロットを用いたデータ通信を行っている際に、公衆基地局から二つ目以降のスロットを解放するよう指示された場合の呼制御手順を説明する。
移動端末が、公衆基地局に対してＬＣＨ確立要求メッセージ（４０１）を送信して以降、一つ目の無線チャネル及び二つ目の無線チャネルが通信中（４０２乃至４１２）の状態に至る迄のシーケンスは、スロット固定型の移動端末と通信を行った場合と同様である。
【００２３】
通信中（４１１及び４１２）の状態で、移動端末が公衆基地局から二つ目以降の無線チャネルを解放するよう指示する無線チャネル切断メッセージ（４１３）を受信した場合、移動端末は二つ目の無線チャネルに対して無線チャネル切断完了メッセージ（４１４）を送信した後、移動端末のユーザがスロット可変型を選択している為、切断復旧動作には移行せず、１スロットのみで通信を続ける。
【００２４】
このように、従来の移動端末では、複数の無線スロットを用いたデータ通信を行う際に、スロット固定型の動作を行う移動端末と、スロット可変型の動作を行う移動端末がそれぞれ存在している。
【００２５】
【発明が解決しようとする課題】
しかし、従来の移動端末では、複数の無線スロットを用いて通信しようとする場合、各通信事業者が行っているサービスに応じて、スロット固定型またはスロット可変型の種別が一方に決定されている。
【００２６】
移動端末のユーザが、スロット固定型のシステムに対応する移動端末を用いて複数の無線スロットを用いた通信を要求した場合、一度通信が確立すれば通信が継続している間は要求した数の無線スロットの使用が保証される為、使用する無線スロット数に比例した通信速度が保証される。しかし、トラフィックの高いエリアで発呼や着呼を行う場合や、他の公衆基地局にハンドオーバを行うような場合には必ずしも必要な数の無線スロットが空いているとは限らない為、呼の確立に失敗し、通信ができない可能性が高くなる。
【００２７】
一方、移動端末のユーザが、スロット可変型のシステムに対応する移動端末を用いて複数の無線スロットを用いた通信を要求した場合、要求した数の無線スロットが空いていなくても１スロット確保できれば呼の接続を行う為、発呼や着呼の成功確率は高くなる。しかし、ユーザの意志に関係なく使用する無線スロットの数を制限される可能性がある。
【００２８】
このように、どちらか一方の方式のみに対応した移動端末では、移動端末のユーザが使用目的に応じて、通信手順を選択することができないという問題点を有している。
【００２９】
本発明は、上記問題点に鑑みてなされたものであり、移動端末のユーザが複数の無線スロットを用いてデータ通信を行うことを要求する際に、その通信の目的に応じて通信手順を選択的に切換る機能を提供することを目的とするものである。
【００３０】
【課題を解決するための手段】
本発明は、請求項１は、公衆基地局との間で複数の無線スロットを用いてデータ通信を行うことができる移動端末に於いて、通信が継続している間は常に要求する最大数の無線スロットを使用することが保証されたスロット固定型の通信手順と、通信が継続している間に前記公衆基地局のトラフィックや使用している無線スロットの通信品質に基づき使用する無線スロットの数を切り替えることが可能なスロット可変型の通信手順と、を選択的に切り換える切換手段を具備することを特徴とする。
【００３１】
請求項２は、請求項１に於いて、前記切換手段は、予めユーザが設定した情報に基づいて切り換えを行うことを特徴とする。
【００３２】
【発明の実施の形態】
以下、本発明の通信手順切替機能付き移動端末の実施形態を図面を用いて説明する。
【００３３】
図５は、本発明の移動端末において、二つ目以降の無線チャネルの確立が拒否された場合のシーケンス図である。図６は、本発明の移動端末において、公衆基地局から二つ目以降のスロットを解放するよう指示された場合のシーケンス図である。図７は、複数の無線スロットを用いてデータ通信をする際にスロット固定型の動作を行うか、スロット可変型の動作を行うかを移動端末のユーザが設定する場合のフローチャートである。
【００３４】
図５に基づき、移動端末が複数の無線スロットを用いたデータ通信を要求した際に、公衆基地局から二つ目以降の無線チャネルの獲得を拒否された場合、スロット固定型の動作を行うか、スロット可変型の動作を行うかを判定し、その後の動作を決定する処理に関する一実施の形態を説明する。
【００３５】
移動端末が、公衆基地局に対してＬＣＨ確立要求メッセージ（５０１）を送信して以降、公衆基地局から二つ目の無線スロットの獲得失敗を示すＴＣＨ追加拒否メッセージ（５０９）を受信する迄のシーケンスは、従来例の移動端末と通信を行った場合のシーケンス（図１の１０１乃至１０９、及び図２の２０１乃至２０９参照）と同様である。
【００３６】
ＴＣＨ追加拒否メッセージ（５０９）を受信した移動端末は、後述する移動端末のメモリ等の記憶部に記憶している現在の条件設定がスロット固定型であるか、スロット可変型であるかを判定する（５１０）。
【００３７】
判定結果がスロット固定型である場合、移動端末は従来例の移動端末のうち、図１で示すスロット固定型の移動端末が、ＴＣＨ追加拒否メッセージ（１０９）を受信した後に行う切断復旧手順と同様の動作を行う（１１０乃至１１３）。また、判定結果がスロット可変型である場合、移動端末は従来例の移動端末のうち、図２で示すスロット可変型の移動端末が、ＴＣＨ追加拒否メッセージ（２０９）を受信した後に行う呼接続手順と同様の動作を行う（２１０乃至２１４）。
【００３８】
次に、図６を用いて、移動端末と公衆基地局間で複数の無線スロットを用いたデータ通信を行っている際に、移動端末が公衆基地局から二つ目以降のスロットを解放するよう指示された場合、スロット固定型の動作を行うか、スロット可変型の動作を行うかを判定し、その後の動作を決定する処理に関する一実施の形態を説明する。
【００３９】
移動端末が、公衆基地局に対してＬＣＨ確立要求メッセージ（６０１）を送信して以降、一つ目の無線チャネル及び二つ目の無線チャネルが通信中（６０２乃至６１２）の状態に至る迄のシーケンスは、従来例の移動端末と通信を行った場合のシーケンス（図３の３０１乃至３１２、及び図４の４０１乃至４１２参照）と同様である。
【００４０】
通信中（６１１及び６１２）の状態で、移動端末が公衆基地局から二つ目以降の無線スロットを解放するよう指示する無線チャネル切断メッセージ（６１３）を受信した場合、移動端末は二つ目の無線チャネルに対して無線チャネル切断完了メッセージ（６１４）を送信した後、後述する移動端末のメモリ等の記憶部に記憶している現在の条件設定がスロット固定型であるか、スロット可変型であるかを判定する（６１５）。
【００４１】
判定結果がスロット固定型である場合、移動端末は従来例の移動端末のうち、図３で示すスロット固定型の移動端末が、無線チャネル切断完了メッセージ（３１４）を送信した後に行う切断復旧手順と同様の動作を行う（３１５乃至３２１）。また、判定結果がスロット可変型である場合、移動端末は従来例の移動端末のうち、図４で示すスロット可変型の移動端末が、無線チャネル切断完了メッセージ（４１４）を送信した場合と同様に、１スロットのみで通信を継続する（４１５）。
【００４２】
次に、図７を用いて、移動端末のユーザが移動端末の条件設定を行う際の一実施例の形態を説明する。
【００４３】
図７に於いて、移動端末のユーザは、移動端末を移動端末のファンクションキー、ダイヤルボタン等の手段で、複数の無線スロットを用いてデータ通信をする際にスロット固定型の動作を行うか、スロット可変型の動作を行うかの条件設定を行うことができるような状態に遷移させた後、スロット固定型またはスロット可変型を示す条件を入力する（Ｓ１）。移動端末のユーザが入力した条件が、移動端末のメモリ等の記憶部に記憶している現在の条件と一致するか否かを判定し（Ｓ２）、一致しない場合のみ移動端末の記憶部に記憶している条件を書き換える（Ｓ３）。
【００４４】
尚、上記で示した実施例のうち移動端末のユーザが移動端末に対してユーザの操作により設定条件の変更を行っている部分に関しては、移動端末に接続したパーソナルコンピュータ等の情報端末に搭載したアプリケーションソフトから行うことも可能であり、本実施の形態に示したものに限るものではない。
【００４５】
【発明の効果】
本発明を用いると、ユーザが複数の無線スロットを用いてデータ通信を行うことを要求する際に、常に最大の速度が保証されなければ意味のない通信を行う際にはスロット固定型を、常に最大の速度が保証されなくても、呼の確立の可能性が高く、安定的に通信を行うことが必要な際にはスロット可変型を選択できることにより、その通信の目的に応じて呼毎に通信手順を選択的に切り換えることが可能となる。
【００４６】
また、本発明の移動端末を用いたシステムでは、保証された帯域に比例し、通信手順毎に料金を設定することが可能となる。
【図面の簡単な説明】
【図１】従来のスロット固定型のシーケンスの一例を示す図である。
【図２】従来のスロット可変型のシーケンスの一例を示す図である。
【図３】従来のスロット固定型のシーケンスの一例を示す図である。
【図４】従来のスロット可変型のシーケンスの一例を示す図である。
【図５】本発明のスロット固定型／可変型切替のシーケンスの一例を示す図である。
【図６】本発明のスロット固定型／可変型切替のシーケンスの一例を示す図である。
【図７】本発明のスロット固定型／スロット可変型の設定を変更する手順の一例を示すフローチャートである。
【符号の説明】
５０１、６０１    ＬＣＨ確立要求
５０２、６０２    ＬＣＨ割当
５０７、６０４    ＴＣＨ追加要求
５０９            ＴＣＨ追加拒否
６１３            無線チャネル切断
【図１】
0004117963.tif 000002
【図２】
0004117963.tif 000003
【図３】
0004117963.tif 000004
【図４】
0004117963.tif 000005
【図５】
0004117963.tif 000006
【図６】
0004117963.tif 000007
【図７】
0004117963.tif 000008